(57)【要約】【課題】  本発明は、極めて商品価値の高い画期的なバーベキューコンロを提供することを目的とする。【解決手段】  上部に焼き網や鉄板などの焼き具９を配設する焼き具配設部３を設けたコンロ本体１の下方に、燃料を載置する燃料載置体２が上下移動自在に設けられ、この燃料載置体２は任意の高さ位置で保持されるように構成されたものである。【選択図】      図１
2005312803.tif 000002
【特許請求の範囲】
【請求項１】
上部に焼き網や鉄板などの焼き具を配設する焼き具配設部を設けたコンロ本体の下方に、燃料を載置する燃料載置体が上下移動自在に設けられ、この燃料載置体は任意の高さ位置で保持されるように構成されていることを特徴とするバーベキューコンロ。
【請求項２】
上部に焼き網や鉄板などの焼き具を配設する焼き具配設部を有し、内部に燃料を載置する燃料載置体を有するコンロ本体を具備したバーベキューコンロであって、前記燃料載置体は焼き具に対し接離自在に設けられ、更に、この燃料載置体は所定の高さ位置で保持されるように構成されていることを特徴とするバーベキューコンロ。
【請求項３】
請求項１，２いずれか１項に記載のバーベキューコンロにおいて、前記燃料載置体を所定の高さ位置で保持する保持手段は、コンロ本体に設けられていることを特徴とするバーベキューコンロ。
【請求項４】
請求項１〜３いずれか１項に記載のバーベキューコンロにおいて、前記燃料載置体に設けた係止部が係脱自在に係止する被係止部はコンロ本体の高さ方向に複数設けられていることを特徴とするバーベキューコンロ。
【請求項５】
請求項１〜４いずれか１項に記載のバーベキューコンロにおいて、前記燃料載置体に設けた把手部が係止部であり、コンロ本体に設けた貫通孔が被係止部であり、この貫通孔は前記把手部が係止される複数の位置を有するものであることを特徴とするバーベキューコンロ。
【請求項６】
請求項５記載のバーベキューコンロにおいて、前記把手部は、燃料載置体に対して起伏回動自在に設けられており、把手部は起状態で保持されるように構成されていることを特徴とするバーベキューコンロ。
【発明の詳細な説明】
【技術分野】
【０００１】
本発明は、バーベキューコンロに関するものである。
【背景技術】
【０００２】
従来から、炭や薪を燃料とするタイプのバーベキューコンロとして、火力調整機能を具備したバーベキューコンロが種々提案されている。
【０００３】
この火力調整機能を発揮する構造としては、例えば、焼き網を係止する係止部が上下多段に設けられた支柱を、コンロ本体の対向位置に立設し、この両支柱に設けた係止部を適宜選択して焼き網を係止する構造があり、この構造により、焼き網の高さ位置を上下させ燃料との距離を可変して火力を調整している。尚、その他にも、操作部の操作により昇降動する焼き網載置部をコンロ本体に設けた構造のものなどがある。
【０００４】
つまり、炭や薪を燃料とするタイプのバーベキューコンロは、気化ガスを燃料とするタイプのガスコンロと異なり、燃料の火の大きさ（強さ）を変えることはできない為、コンロ本体内の燃料と焼き網との距離を変えることで火力調整を行なっている。
【発明の開示】
【発明が解決しようとする課題】
【０００５】
ところが、この従来から提案されているものは、いずれも焼き網を移動させて火力調整を行なう構造の為、例えば焼き網上に肉や野菜などを載せた状態のまま火力調整を行なおうとした場合には、焼き網上の肉や野菜などを落としてしまう場合があり、しかも、この点を気にして慎重に焼き網の移動を行なっていたのでは、肉や野菜などを焦がしてしまうなどの問題点がある。
【０００６】
また、バーベキューの開始時においては、コンロ本体を設置する場所を考慮したり、コンロ本体の脚部の長さを変えるなどして、焼き網の高さをバーベキューし易い高さに調整しているが、結局、途中において火力調整の為、焼き網の高さを変えると、焼き網は開始時の最適位置ではなくなり、食べにくくなったりし、非常に不便である。
【０００７】
本出願人は、上述の問題点に着目し、従来にない作用効果を発揮する画期的なバーベキューコンロを開発した。
【課題を解決するための手段】
【０００８】
添付図面を参照して本発明の要旨を説明する。
【０００９】
上部に焼き網や鉄板などの焼き具９を配設する焼き具配設部３を設けたコンロ本体１の下方に、燃料を載置する燃料載置体２が上下移動自在に設けられ、この燃料載置体２は任意の高さ位置で保持されるように構成されていることを特徴とするバーベキューコンロに係るものである。
【００１０】
また、上部に焼き網や鉄板などの焼き具９を配設する焼き具配設部３を有し、内部に燃料を載置する燃料載置体２を有するコンロ本体１を具備したバーベキューコンロであって、前記燃料載置体２は焼き具９に対し接離自在に設けられ、更に、この燃料載置体２は所定の高さ位置で保持されるように構成されていることを特徴とするバーベキューコンロに係るものである。
【００１１】
また、請求項１，２いずれか１項に記載のバーベキューコンロにおいて、前記燃料載置体２を所定の高さ位置で保持する保持手段は、コンロ本体１に設けられていることを特徴とするバーベキューコンロに係るものである。
【００１２】
また、請求項１〜３いずれか１項に記載のバーベキューコンロにおいて、前記燃料載置体２に設けた係止部５が係脱自在に係止する被係止部６はコンロ本体１の高さ方向に複数設けられていることを特徴とするバーベキューコンロに係るものである。
【００１３】
また、請求項１〜４いずれか１項に記載のバーベキューコンロにおいて、前記燃料載置体２に設けた把手部７が係止部５であり、コンロ本体１に設けた貫通孔８が被係止部６であり、この貫通孔８は前記把手部７が係止される複数の位置を有するものであることを特徴とするバーベキューコンロに係るものである。
【００１４】
また、請求項５記載のバーベキューコンロにおいて、前記把手部７は、燃料載置体２に対して起伏回動自在に設けられており、把手部７は起状態で保持されるように構成されていることを特徴とするバーベキューコンロに係るものである。
【発明の効果】
【００１５】
本発明は上述のように構成したから、前述した従来から提案されるものと異なり、例えば焼き具に載せた肉や野菜などを落としてしまうことなく良好に火力調整が行なえることになり、ひいては、この火力調整が簡易且つ迅速に行なえることになり、しかも、火力調整を行なっても焼き具の高さは変わることがないから常に食べ易い状態が得られることになるなど極めて商品価値の高い画期的なバーベキューコンロとなる。
【発明を実施するための最良の形態】
【００１６】
好適と考える本発明の実施形態を、図面に基づいて本発明の作用を示して簡単に説明する。
【００１７】
本発明は、例えば火力調整を行なう際、燃料載置体２を上下移動させ、この燃料載置体２を所定位置で保持する。
【００１８】
具体的には、火力を強くしようとする場合は、燃料載置体２を上方に移動させてその高さで保持し、反対に、火力を弱くしようとする場合は、燃料載置体２を下方に移動させてその高さで保持する。
【００１９】
つまり、焼き具配設部３に配設される焼き網や鉄板などの焼き具９に対して燃料載置体２に載置される燃料を接離移動させることで、焼き具９と燃料との距離を可変して火力を調整する。
【００２０】
従って、従来から提案されるものと異なり、火力調整の際にコンロ本体１の焼き具載置部４に載置した焼き具９は移動することがない為、例えば焼き具９に載せた肉や野菜などを落としてしまうことなく良好に火力調整が行なえることになり、ひいてはこの火力調整が簡易且つ迅速に行なえることになり、しかも、火力調整を行なっても焼き具９の高さは変わることがないから常に食べ易い状態が得られることになる。
【実施例】
【００２１】
本発明の具体的な実施例について図面に基づいて説明する。
【００２２】
本実施例は、上部に焼き網や鉄板などの焼き具９を配設する焼き具配設部３を有し、内部に燃料を載置する燃料載置体２を有するコンロ本体１を具備したものである。
【００２３】
以下、本実施例に係る構成各部について詳細な説明をする。
【００２４】
コンロ本体１は、図１，２に図示したように適宜な金属製の部材で構成され、上下開口部を有する平面視方形状のものであり、後述する燃料載置体２を内部に配設し得る大きさに設定されており、その上面及び周面には多数の通気孔１ａが形成されている。
【００２５】
また、コンロ本体１は、その上面内縁に、焼き具９を載置する焼き具配設部３（段部）が設けられている。
【００２６】
また、コンロ本体１は、その四つの角部に脚体10を着脱自在に嵌挿連結する脚体連結部11が設けられている。
【００２７】
この脚体10は、夫々一対の棒材10ａ，10ｂを分離自在に継合連結して構成されており、この棒材10ａ，10ｂ夫々の上端部がコンロ本体１の脚体連結部11に嵌挿連結し得るように構成されている。
【００２８】
従って、コンロ本体１は脚体10の長さによって焼き具配設部３の高さ調整が行なえることになる。
【００２９】
また、コンロ本体１は、その左右側面夫々の中央位置に方形状の開口部が設けられており、この開口部は後述する燃料載置体２に対して燃料を出し入れするための燃料出し入れ部12である。
【００３０】
また、この燃料出し入れ部12夫々の左右位置には、コンロ本体１内にて上下移動させた燃料載置体２を所定高さ位置で係止保持するための貫通孔８が設けられている。
【００３１】
この貫通孔８は、図２，３に図示したようにコンロ本体１の高さ方向に長さを有する直線スライド部８ａと、この直線スライド部８ａの上部、中部、下部の三ケ所に該直線スライド部８ａに直交状態となる鉤状係止部８ｂとから成り、この鉤状係止部８ｂに、後述する枠体13に設けられる把手部７の基部７ａが係止する。この鉤状係止部８ｂが形成される方向は全て同一方向（コンロ本体１の正面方向）に設定されている。
【００３２】
燃料載置体２は、図２に図示したように適宜な金属製の部材で形成した有底の方形箱状のものであり、前述したコンロ本体１内に配設される大きさに設定されており、その周面には多数の通気孔２ａが形成されている。符号14は燃料載置体２の後述する突片２ｂに連結される吊り部である。
【００３３】
また、燃料載置体２は、その内底部に燃料載置部としてのロストル４が着脱自在に配設されている。
【００３４】
また、燃料載置体２は、その上部開口縁に水平外方向に突片２ｂが突設されており、この突片２ｂは、後述する枠体13に係止する係止片として構成されている。
【００３５】
また、燃料載置体２は、枠体13を介してコンロ本体１内に配設される。
【００３６】
この枠体13は、図２に図示したように適宜な金属製の部材を平面視方形状に形成したものであり、コンロ本体１の内部に配設される大きさに設定されており、前述した燃料載置体２に対して被嵌され、該燃料載置体２の係止片２ｂに係止するように構成されている。
【００３７】
従って、この枠体13を設けた燃料載置体２をコンロ本体１内に配設した際、燃料載置体２はコンロ本体１内で宙吊り状態となり、この枠体13の左右両端部に設けられる把手部７を持って燃料載置体２をコンロ本体１内で上下移動することができる。
【００３８】
この把手部７は、基部７ａと、この基部７ａに着脱自在となる把手部材７ｂとで構成されている。
【００３９】
基部７ａは、図４〜８に図示したように枠体13の両側に所定間隔をおいて一対突設されており、枠体13をコンロ本体１内に配設した際、その先端部が前述した貫通孔８を貫通して被係止部６に係止する係止部５として構成されている。
【００４０】
従って、この基部７ａを貫通孔８に係る直線スライド部８ａに対して上下方向にスライドさせるとともに、鉤状係止部８ｂに係止させることで、燃料載置体２は所定の高さ位置で保持される。
【００４１】
また、基部７ａは、夫々その先端部に円形の貫通孔７ａ’が形成されており、この貫通孔７ａ’は把手部材７ｂの端部７ｂ’を嵌挿連結するための連結孔として構成されている。
【００４２】
把手部材７ｂは、図４〜８に図示したように適宜な金属製の断面円形状の棒部材をコ字状に形成したものであり、その折り返し端部７ｂ’同志が内側へ付勢されるように構成されている。
【００４３】
従って、把手部材７ｂは、左右の折り返し端部７ｂ’同志（少なくとも一方の折り返し端部）を外側に広げることで基部７ａの連結孔７ａ’の外側から嵌挿連結することができ、しかも、把手部材７ｂは断面円形状故に基部７ａに対して上下方向に擺動（起伏回動）し得ることになる。
【００４４】
また、この把手部材７ｂの折り返し端部７ｂ’のうち、一方の折り返し端部７ｂ’には、基部７ａの連結孔７ａ’に設けた凹部７ａ”に合致する凸部７ｂ”が設けられており、この凸部７ｂ”を連結孔７ａの凹部７ａ”に係止させることで把手部７の擺動が阻止される。
【００４５】
本実施例では、把手部７が燃料載置体２に対して起状態となったときに該把手部７の擺動が阻止されるように構成されている。
【００４６】
即ち、本実施例は、火力調整をするに際して把手部７を持ってコンロ本体１に対して燃料載置体２を上下移動させる構造であるが、仮に、把手部７が燃料載置体２に対して伏状態となってコンロ本体１に添設状態であった場合、この把手部７が熱くなって持ちにくくなることが危惧される。
【００４７】
そこで、把手部７が起状態のときには擺動が阻止されるように構成することで、把手部７が熱くなることを防止でき、この点においても良好な火力調整が行なえることになる。
【００４８】
尚、本実施例は、燃料載置体２に具備せしめた把手部７を持って該燃料載置体２をコンロ本体１に対して上下移動させる構造としたが、その他にもコンロ本体１に設けた操作部を操作することで燃料載置体２が上下移動する構成（例えばハンドルを回動操作することで上下移動するようなギア機構を使用した構成）とするなど、本実施例の特性を発揮する構成であれば適宜採用するものである。
【００４９】
本実施例は上述のように構成したから、例えば火力調整を行なう際、火力を強くしようとする場合は、燃料載置体２を上方に移動させてその高さで保持し、反対に、火力を弱くしようとする場合は、コンロ本体１に対して燃料載置体２を下方に移動させてその高さで保持する。
【００５０】
よって、本実施例によれば、従来から提案されるものと異なり、火力調整の際にコンロ本体１の焼き具載置部４に載置した焼き具９は移動することがない為、例えば焼き具９に載せた肉や野菜などを落としてしまうことなく良好に火力調整が行なえることになり、ひいてはこの火力調整が簡易且つ迅速に行なえることになり、しかも、火力調整を行なっても焼き具９の高さは変わることがないから常に食べ易い状態が得られることになる。
【００５１】
また、本実施例は、燃料載置体２を上下移動させることで燃料出し入れ部12から燃料を補充したり取り出したりすることができる。
【００５２】
また、本実施例は、簡易構造故にコスト安にして量産性に秀れることになる。
【００５３】
また、本実施例は、コンロ本体１と燃料載置体２とを別体とすることでコンロ本体１が過剰に熱くなるのも防止することができる。
【００５４】
尚、本発明は、本実施例に限られるものではなく、各構成要件の具体的構成は適宜設計し得るものである。
【図面の簡単な説明】
【００５５】
【図１】本実施例を示す斜視図である。
【図２】本実施例を示す分解斜視図である。
【図３】本実施例に係る要部の説明図である。
【図４】本実施例に係る要部の説明図である。
【図５】本実施例に係る要部の説明図である。
【図６】本実施例に係る要部の説明図である。
【図７】本実施例に係る要部の説明図である。
【図８】本実施例に係る要部の説明図である。
【図９】本実施例の使用状態説明図である。
【図１０】本実施例の使用状態説明図である。
【図１１】本実施例の使用状態説明図である。
【図１２】本実施例の使用状態説明図である。
【符号の説明】
【００５６】
１  コンロ本体
２  燃料載置体
３  焼き具配設部
５  係止部
６  被係止部
７  把手部
８  貫通孔
９  焼き具
【図１】
2005312803.tif 000003
【図２】
2005312803.tif 000004
【図３】
2005312803.tif 000005
【図４】
2005312803.tif 000006
【図５】
2005312803.tif 000007
【図６】
2005312803.tif 000008
【図７】
2005312803.tif 000009
【図８】
2005312803.tif 000010
【図９】
2005312803.tif 000011
【図１０】
2005312803.tif 000012
【図１１】
2005312803.tif 000013
【図１２】
2005312803.tif 000014